(57)【特許請求の範囲】
【請求項１】
寝ている人間の頭が載置される枕において、
この枕の表側表面の表布と、この枕の裏側表面の裏布と、この枕の表側と裏側とが仕切布で分離された分離層と、
この表側の分離層の中を、さらに分割して形成され、  相互に遮蔽された複数の分割嚢であって、この分割嚢は上記人間の頭及び首に直接接するものであり、  この分割嚢は、上記人間の頭及び首に対して左右方向に延びるものであり、
この表側の分割嚢のうち上記頭の首に接する分割嚢に収納された第１充填材と、  この表側の分割嚢のうち上記頭に接し首に接しない複数の分割嚢に収納された第２充填材と、  上記裏側の分離層に収納された第３充填材とを備え、
上記第１充填材またはその表布は遠赤外線を発して上記首の血行を促進し、  上記第２充填材またはその表布は、消臭機能を有し、遠赤外線を発せず、  上記第３充填材またはその裏布は、消臭機能を有し、遠赤外線を発せず、
上記分離層のうち、上記表布及び裏布に接していない、内部の分離層には何も充填されず空洞となっていて、表布及び裏布に接している両分離層が離間可能なっていることを特徴とする枕。
【請求項２】
上記裏側の分離層の中を、さらに分割して相互に遮蔽された複数の分割嚢が形成され、この分割嚢のうち、上記頭の首に接する表側の分割嚢の下にある裏側の分割嚢は、当該表側の分割嚢とほぼ同じ大きさであることを特徴とする請求項１記載の枕。
【請求項３】
上記複数の分割嚢及び表布の境界と上記頭及び首との間には隙間が形成され、これにより、頭または首の消臭より、枕の方がより消臭され、
上記枕が裏返して使用され、この裏返された上記裏側の分離層及び裏布と上記頭または首との間には隙間が形成されず頭または首に密着し、これにより、枕の消臭より、頭または首の方がより消臭されることを特徴とする請求項２記載の枕。
【請求項４】
上記第２充填材または第３充填材は内部に隙間を有して、通気性を有し、これにより消臭機能が向上されることを特徴とする請求項３記載の枕。
【請求項５】
上記第１充填材またはその表布は、遠赤外線を発するほか、消臭機能を有することを特徴とする請求項４記載の枕。
【請求項６】
首に接する分割嚢は、首の真後ろ部分と、首の左右両側部分とに分けられ、首の真後ろ部分の第１充填材またはその表布は、遠赤外線を発し、消臭機能は無く、  首の左右両側部分の第１充填材またはその表布は、遠赤外線を発するほか、消臭機能も有することを特徴とする請求項５記載の枕。
【請求項７】
首の真後ろ部分の第１充填材またはその表布の高さは、首の左右両側部分の第１充填材またはその表布の高さより低いことを特徴とする請求項６記載の枕。
【請求項８】
首の真後ろ部分の分割嚢の左右の長さは、首の左右両側部分の分割嚢の左右の長さより、長いことを特徴とする請求項７記載の枕。
【請求項９】
首の真後ろ部分の分割嚢と、首の左右両側部分の分割嚢との境界は、複数の縫合ラインが形成されていることを特徴とする請求項８記載の枕。
【発明の詳細な説明】
【技術分野】
【０００１】
本発明は、枕に関し、寝ている人間の頭が載置される枕に関する。
【背景技術】
【０００２】
このような枕は、快適な睡眠を得るには非常に重要なものである。このような枕で快適な睡眠を得るには、高さ、クッション性、硬軟などの要素が重要となってくる。最近では、このような要素のほか、血行促進や消臭などの機能を有するものも考えられてきている。
【０００３】
ところが、血行促進を促すと発汗量が増えて消臭にとってかえって不都合になる。逆に、血行促進を無くすと、消臭の効果は上がるが、血行促進はできなくなる。枕において、血行促進と消臭とはあい矛盾する関係にある。
【０００４】
【特許文献１】特開２００６−３２０５８８号公報
【特許文献２】特開２００２−１０２０３７号公報
【特許文献３】特開昭６３−１０９６０号公報
【発明の開示】
【発明が解決しようとする課題】
【０００５】
本発明は、上述した課題を解決するためになされたものであり、本発明の目的は、消臭と同時に血行促進も達成して、血行促進による発汗が増えても、十分な消臭も実現できる枕を提供することにある。
【課題を解決するための手段】
【０００６】
本願発明は、  表側の分割嚢のうち上記頭の首に接する分割嚢に収納された第１充填材と、  この表側の分割嚢のうち上記頭に接し首に接しない複数の分割嚢に収納された第２充填材と、  上記裏側の分割層に収納された第３充填材とを備え、  上記第１充填材またはその表布は遠赤外線を発して上記首の血行を促進し、  上記第２充填材またはその表布は、消臭機能を有し、遠赤外線を発せず、  上記第３充填材またはその裏布は、消臭機能を有し、遠赤外線を発しないようにした。
【発明の効果】
【０００７】
これにより、人間の首から頭にかけての部分を分けて、血行促進と消臭とで分けて、両者の機能を矛盾しないように発揮させることができる。特に、首付近のみ遠赤外線をはして血行促進等をはかることができるが、首以外の他の頭部全体は消臭機能を発揮して、発汗に対する消臭をはかり、「頭寒足熱」の「頭寒」を達成できる。消臭は通気性とあいまって、付随的に冷却効果を発揮するからである。
【発明を実施するための最良の形態】
【０００８】
（１）枕本体１の構造
図１、図２及び図３は枕の表面（表側の外面）、裏面（裏側の外面）及び断面を示す。寝ている人間の頭が載置される枕本体１は、表側表面の長方形状の表布（外被）２及び裏側表面の裏布（外被）３が周縁で縫合されている。
【０００９】
この表布２及び裏布３の間には長方形状の仕切布４及び消臭シート１０が挟まれ、この仕切布４及び消臭シート１０は、表布２及び裏布３とともに周縁で縫合されている。この仕切布４及び消臭シート１０によって、枕本体１の中の表側と裏側とが互いに分断分割分離され、表分離層５、裏分離層６及び中分離層１４の複数の分離層からなる多層構造が形成されている。
【００１０】
上記表布２と仕切布４とは、上記周縁のほか、横に延びる複数例えば４本の表縫合ライン（接合ライン）７…、７ａで互いに縫合されている。この４本の表縫合ライン７…、７ａによって、枕本体１の中の表布２及び仕切布４との間の表分離層５が分割されて、５列の細長い分割嚢８…が形成される。この分割嚢８…は、上記４本の表縫合ライン７…、７ａによって、相互に遮蔽されている。
【００１１】
この５列の分割嚢８…の一番端の人間の首付近があたる、端表縫合ライン７ａによって形成される端分割嚢８ａの幅は、他の分割嚢８…の幅より若干太くなっており、この端分割嚢８ａ、８ｂは、２組の端縫合ライン群９…によって、さらに３つに分割されている。
【００１２】
この３つの端分割嚢８ａ、８ｂ、８ａは、上記２本の端縫合ライン群９…によって、相互に遮蔽されている。これら分割嚢８…及び端分割嚢８ａ、８ｂ、８ａは、人間の頭及び首に直接接していて、人間の頭及び首に対して左右方向に延びている。端分割嚢８ａ、８ａ、８ｂ、８ａは、頭の中の首に接する。分割嚢８…は、頭に接し首には接しない。
【００１３】
端分割嚢８ａ、８ｂは、端分割嚢８ａ、端分割嚢８ｂ、端分割嚢８ａの順番で配列されている。真ん中の端分割嚢８ａ、８ａで挟まれる端分割嚢８ｂは、首の真後ろ部分に当接し、両側の端分割嚢８ａ、８ａは、首の左右両側部分に当接する。
【００１４】
上記裏布３と消臭シート１０とは、上記周縁のほか、横に延びる１本の裏縫合ライン（接合ライン）１９で互いに縫合されている。この１本の裏縫合ライン１９によって、枕本体１の中の裏布３と消臭シート１０との間の裏分離層６が分割されて、二列の細長い分割嚢１５ａ、端分割嚢１５ｂが形成される。この分割嚢１５ａ、端分割嚢１５ｂは、上記１本の裏縫合ライン１９によって、相互に遮蔽されている。
【００１５】
上記裏縫合ライン１９は、上記端表縫合ライン７ａの裏側の位置付近に形成されている。したがって、端分割嚢１５ｂは、分割嚢１５ａより細くなっていて、端分割嚢１５ｂ内の後述する筒粒状物２１…及び球粒状物２２…が分割嚢１５ａに移動してしまうことがなく、首の下に当たる部分の筒粒状物２１…及び球粒状物２２…が部分的に減少してしまうことがなく、枕本体１への首の載置状態を安定させることができる。
【００１６】
上記裏布３は２枚または３枚以上の不織布、後述する隙間が多く通気性の高い立体構造編物１６（第３充填材）の布等が重ねられて多数の斜めの裏縫合ライン１１…で縫合されて、キルティング加工されている。これに対して、表布２は、上述したように、横に延びる４本の表縫合ライン７…、７ａが形成されている。これにより、枕本体１の表側と裏側の表面デザイン、表面形状が異なっていて、枕本体１の表裏が明確に区別されて、枕本体１の表裏を過誤しないようになっている。
【００１７】
上記表布２、裏布３、仕切布４、後述する消臭シート１２（第１充填材、第２充填材）または立体構造編物１６（第３充填材）は、消臭機能のある布からなっている。このような消臭機能を有する布は、例えば竹から作られた竹繊維（バンブー繊維）からなり、抗菌、消臭（防臭、脱臭も含む）、吸湿（湿気の吸収）、調湿（湿気／湿度の自動調整）、放湿（湿気の排出）、遠赤外線発生、静電気が発生しにくいなどの性質を有する。
【００１８】
また竹繊維は、光沢性、発色性、熱の放射性にも優れている。さらに、竹繊維は、染色性、発色性に優れ、着心地、肌触りもよい。調湿作用は内側の湿度が上がると湿気を外に排出し、内側の湿度が下がると外気の湿気を吸収する作用であって、内側の湿度を一定に保つ作用である。
【００１９】
このような消臭機能を有する素材または布は、他に、シャインアップ（株式会社クラレの製品）、「サニター３０」（株式会社クラレの製品）、キチンキトサン繊維、ディスメル、ロンウェーブ（株式会社クラレの製品）、溶岩シーツ（おとぎの国http://store.shopping.yahoo.co.jp/otogino/ba0612.html）、でもよいし、繊維にカキタンニン成分を含むまたは付着された布、その他の消臭機能のある繊維・布などでもよい。
【００２０】
上記消臭シート１２、その他の上記布２、３、４、１６等としては、セミア（旭化成せんい株式会社）が用いられる。このセミアは、ポリエステル不織布に活性炭が入れられており、洗濯しても活性炭は脱落せず、風通しのよいところで５時間以上天日干しすると、消臭効果が回復する。
【００２１】
上記表分離層５、裏分離層６、分割嚢８、分割嚢１５ａ、端分割嚢１５ｂの内部には、後述する弾力性のある筒粒状物２１…及び球粒状物２２…（第２充填材、第３充填材）が内蔵されており、隙間が多く通気性に富んでいる。したがって、上記消臭シート１０が枕本体１内部にあっても、表分離層５、裏分離層６、分割嚢８、分割嚢１５ａ、端分割嚢１５ｂに通気性があるため、臭気が消臭シート１０によく当たって、消臭効果が落ちない。
【００２２】
上記中分離層１４は空洞で何も充填されていないので、通気性が非常に高くなっている。つまり、中分離層１４は、上記表布２及び裏布３に接していない、内部には何も充填されず空洞となっていて、表布２及び裏布３に接している両分離層５、６が離間可能なっている。
【００２３】
したがって、消臭シート１０全体及び仕切布４全体にわたって臭気がよくあたり、消臭効果が向上する。また、中分離層１４が空洞なので、枕本体１を持ち上げたりすると、表分離層５と裏分離層６とが大きく離れて、中分離層１４に多くの空気が入り込み、消臭シート１０全体及び仕切布４全体にわたって臭気がよくあたり、枕本体１の消臭効果が向上する。
【００２４】
また、中分離層１４が空洞なので、枕本体１の洗濯時に、表分離層５と裏分離層６とが大きく離れて、洗剤及び水が中分離層１４内に入り込み、洗浄が容易になるし、空洞の中分離層１４を通じて乾燥も速くなる。なお、中分離層１４の一部又は全体の内に、筒粒状物２１…及び球粒状物２２…等が充填されてもよい。
【００２５】
上記表分離層５の分割嚢８内の筒粒状物２１…及び球粒状物２２…（第２充填材）は、消臭効果のある表布２及び仕切布４で包まれているが、場合によって分割嚢８の一部又は全部において、包まれていなくてもよい。このように通気性を有する筒粒状物２１…及び球粒状物２２…が消臭効果のある表布２及び仕切布４で包まれているので、臭気が表布２及び仕切布４によく当たって、消臭効果が落ちない。
【００２６】
上記端分割嚢８ａ、端分割嚢８ｂ、端分割嚢８ａの中には、遠赤外線を発する遠赤布１３…（第１充填材）が折り畳まれてまたは積層されて内蔵されている。この端分割嚢８ａ、端分割嚢８ｂ、端分割嚢８ａのうち、両側の端分割嚢８ａ、端分割嚢８ａ内の遠赤布１３…は上記消臭シート１２（第１充填材）で包まれており、端分割嚢８ｂ内の遠赤布１３…は上記消臭シート１２（第１充填材）で包まれていない。
【００２７】
（２）枕本体１の消臭と頭及び首の消臭
図４は、枕本体１の裏布３側を上にして裏返して人間の頭部及び首を乗せた状態を示す。上述のように枕本体１の裏分離層６は、表側のように複数に分割されていないので、裏分離層６と頭または首との間に隙間Ｇが形成されず、裏分離層６表面の消臭効果のある裏布３が頭または首に密着して、枕本体１より頭または首に対する消臭効果を上げることができる。
【００２８】
この場合、首の下の端分割嚢１５ｂだけが分割嚢１５ａから独立しており、しかも裏側の端分割嚢１５ｂの幅／大きさは、頭の首に接する表側の端分割嚢８ａ、端分割嚢８ｂ、端分割嚢８ａの幅／大きさとほぼ同じであるので、端分割嚢１５ｂ内の筒粒状物２１…及び球粒状物２２…が分割嚢１５ａに移動してしまうことがなく、したがって首の部分の端分割嚢１５ｂの高さが低くなってしまうことがなくなり、裏布３の首への密着状態を維持して、首の消臭を維持できる。
【００２９】
この裏布３の下側の立体構造編物１６は隙間Ｇを有しているし、この立体構造編物１６（第３充填材）のさらに下の筒粒状物２１…及び球粒状物２２…（第３充填材）も隙間を有している。したがって、裏布３の消臭機能を頭または首に対して集中でき、頭または首に対する消臭効果を上げることができる。
【００３０】
図５は、枕本体１の表布２側を上にして表向きにして人間の頭部及び首を乗せた状態を示す。上記枕本体１の表側の表分離層５は、複数の分割嚢８、８ａ、８ｂに分けられているので、表布２または各分割嚢８、８ａ、８ｂの境界と頭または首との間に隙間ができて、通気性を保つことができ、この結果、表分離層５の消臭効果のある表布２が頭や首よりもむしろ枕本体１の方に密着して、頭または首より枕本体１の消臭効果を上げることができる。
【００３１】
このように枕本体１の表側を上にした時と、裏返して裏側を上にしたときとで、枕本体１の消臭機能を、枕本体１に対するものと、頭または首に対するものとで、切り換えることができる。しかも、枕本体１の表側と裏側の表面デザイン、表面形状が異なっているので、これらの枕本体１の表裏異なる消臭機能を間違えることがない。
【００３２】
また、上述のように表分離層５の消臭は、表布２のほか消臭シート１２によって多重になっているので、枕本体１の消臭効果が向上するし、枕本体１に置かれる頭及び首からより離れた個所で消臭機能を発揮するので、枕本体１の消臭効果の方がより向上する。
【００３３】
さらに、分割嚢８それぞれの内部の筒粒状物２１…及び球粒状物２２…（第２充填材）を個別に包んでいるので、これらの筒粒状物２１…及び球粒状物２２…（第２充填材）に対する消臭効果が非常に向上して、枕本体１に対する消臭効果が向上する。
【００３４】
このような筒粒状物２１…及び球粒状物２２…は、隙間を有し、通気性を有しているので、空気の出入りが多くあり、これにより上記表布２、裏布３、仕切布４、後述する消臭シート１２（第１充填材、第２充填材）または立体構造編物１６（第３充填材）に空気が多く当たり、頭または首から発散される汗が速く乾燥され、消臭機能が十分に発揮される。
【００３５】
上記裏縫合ライン１９によって、消臭シート１０が下方に引っ張られ、この結果端表縫合ライン７ａも下方に落ち込んで、この付近の端縫合ライン群９が低くなる。したがって、端縫合ライン群９の上の首の隙間Ｇが大きくなり、首の消臭効果が向上する。なお、裏縫合ライン１９と端表縫合ライン７ａと一体化してもよく、これにより上記端縫合ライン群９がさらに低くなって首の隙間Ｇがさらに大きくなる。
【００３６】
（３）枕本体１の遠赤外線効果と通気性
上記遠赤布１３…には、羊毛ゼオライト、ロンウェーブ（株式会社クラレの製品）、溶岩シーツ（おとぎの国http://store.shopping.yahoo.co.jp/otogino/ba0612.html）、トルマリン粒子が付着した布またはバイネストセラが用いられる。「羊毛ゼオライト」または「バイネストセラ」は、天然鉱石であるゼオライトを加工したセラミックスとその微粒子を羊毛などの天然繊維の表面に堅牢に付着させたものである。このセラミックスとその微粒子の働きによって、体温より低温でも遠赤外線が十分に外部へ放射されて、人体への加温効果が発揮される。
【００３７】
上記ゼオライトの化学組成はケイ酸塩のケイ素の一部がアルミニウムに置換された形の縮合酸塩でありＳｉＯ4―ＡｌＯ4の連結四面体における三次元網目構造によるため、空洞を含む構造が形成され、その空洞、或いはその空洞が連結してできる孔路の中に、そのアニオン（陰イオン）と対応すべくカチオン（陽イオン）、更には結晶水が金属イオンの静電気的引力により存在している。
【００３８】
上記遠赤布１３…から発せられる赤外線は中赤外線、遠赤外線または／及び超遠赤外線である。赤外線は、波長０．７６乃至１．５μｍを近赤外線、波長１．５乃至５．６μｍを中赤外線、波長５．６乃至４００μｍを遠赤外線、波長４００乃至１０００μｍを超遠赤外線という。しかし、本明細書及び特許請求の範囲では、この中赤外線も含めて遠赤外線として説明するし、超遠赤外線も遠赤外線として説明する。
【００３９】
遠赤外線の波長が長いほど、人体組織のより深い所まで浸透してより深部から暖める（保温させる）。したがって、遠赤外線の波長が長いほど、上記遠赤効果が出るまで時間がかるが、いったん遠赤効果がでると、持続性は長く続き、足から本足保護具を取り外しても、遠赤効果は持続する。
【００４０】
また、遠赤外線の波長が短いほど、人体組織の比較的表面を暖める（保温させる）。したがって、遠赤外線の波長が短いほど、上記遠赤効果が即座に早く出て、即効性があり、本足保護具に足を入れてからすぐに暖まる（加温される）。
【００４１】
特に小脳動脈、頸椎動脈などの動脈は人体の内部深いところに位置するので、波長の長い遠赤外線によって血行・リンパ流促進を促し、小脳静脈、頸椎静脈などの静脈及びリンパ管は人体の内部浅いところに位置するので、波長の短い遠赤外線によって血行・リンパ流促進を促すことになる。このように遠赤外線の波長の違いによって首の動脈、静脈、リンパ管を分担して血行促進・リンパ流促進を達成できる。
【００４２】
また、この遠赤外線による保温効果によって、首の後ろの小脳、脳幹、脊髄など活性化できて、健康増進にも役立つ。さらに、この遠赤外線による保温効果によって、首の脂肪を取り除いて、首やせ効果を出すこともできるし、肌に潤いを与えて首や顔のしわを防ぐことができる。
【００４３】
図６は、枕本体１の表布２側を上にして表向きにして人間の頭部及び首を乗せた状態における首付近の断面を示す。上記首の沿って並んだ３つの端分割嚢８ａ、端分割嚢８ｂ、端分割嚢８ａのうち、左右両端の端分割嚢８ａ、８ａ並びにその遠赤布１３…の表布２は、首の真後ろの端分割嚢８ｂ並びにその遠赤布１３…の表布２に比べて高さが低いので、首を左右両側から真後ろ後方まで包み込むことができ、上記遠赤布１３…による首の周囲に対する遠赤外線効果を高めることができる。
【００４４】
また、左右両端の端分割嚢８ａ、８ａ内の遠赤布１３…は消臭シート１２で包まれ、首の真後ろの端分割嚢８ｂ内には消臭シート１２が無い。ここで、首の真後ろの部分は、首の後方左右両側部分より、圧力がかかって、通気性が低下する。
【００４５】
首の真後ろ部分に消臭シート１２が無いことによって、圧力が高くても、通気性を保つことができる。また、首の真後ろの血管やリンパ管の流れを良くすることができて、遠赤外線効果を高めることができるし、首の後方左右の発汗に対して消臭することができる。この場合、端分割嚢８ｂの表布２の消臭機能が無く、端分割嚢８ｂからは遠赤外線効果のみとしてもよい。
【００４６】
なお、首の真後ろの端分割嚢８ｂ内の遠赤布１３…も消臭シート１２で包まれてもよい。これにより、首の真後ろの発汗に対しても消臭を行うことができる。しかし、発汗量は、首の真後ろより首の後方左右の方が多い。
【００４７】
また、左右両端の端分割嚢８ａ、８ａ内の遠赤布１３…は、消臭シート１２で包まれなくてもよい。これにより、首の真後ろのほか後方左右の通気性を高めることができ、上述の枕本体１の消臭効果を高めることができるほか、首の真後ろのほか後方左右からの遠赤外線効果を高めることができる。
【００４８】
さらに、首の後方左右両端の端分割嚢８ａ、８ａより、首の真後ろの端分割嚢８ｂの方が、首に圧力がかかって密着し易いので、首に対して遠赤外線をより浸透させることができる。
【００４９】
また、首の真後ろの端分割嚢８ｂの図１及び図２における左右方向の長さは、首の後方左右両側の端分割嚢８ａ、８ａの左右方向の長さより、１０〜１００％ほど長く、端分割嚢８ａ、８ａの長さは約１２０ｍｍほどであり、端分割嚢８ｂの長さは約２２０ｍｍほどである。これにより、枕本体１に対して頭部の設置位置が左右に多少ずれても、首の真後ろを端分割嚢８ｂに乗せることができて、上記遠赤外線効果を達成できる。
【００５０】
さらに、端縫合ライン群９の幅は、端分割嚢８ａ、８ａの長さの３〜３０％ほどとなっていて、例えば約１０ｍｍほどである。また、端分割嚢８ａ、端分割嚢８ｂ、端分割嚢８ａの各境界は、多数の縫合ラインからなる端縫合ライン群９となっているので、首と枕本体１との間の通気性を高め、上述の枕本体１の消臭効果を高めることができる。
【００５１】
また、表布２は遠赤外線を発してもよく、遠赤布１３…（第１充填材）は光触媒素材が塗布されて消臭機能を有しても良い。この場合、上記遠赤布（第１充填材）１３または表布２は、遠赤外線を発して首の血行を促進し、筒粒状物（第２充填材、第３充填材）２１及び球粒状物（第２充填材、第３充填材）２２若しくは表布２または裏布３は、消臭機能を有し、遠赤外線を発しない。
【００５２】
これにより、首付近のみ遠赤外線をはして血行促進等をはかることができるが、首以外の他の頭部全体は消臭機能を発揮して、発汗に対する消臭をはかり、「頭寒足熱」の「頭寒」を達成できる。消臭は通気性とあいまって、付随的に冷却効果を発揮するからである。
【００５３】
上記遠赤布１３…を内蔵した分割嚢８、８ａ、８ｂの下の端分割嚢１５ｂは分割嚢１５ａから独立しているので、端分割嚢１５ｂ内の筒粒状物２１…及び球粒状物２２…が分割嚢１５ａに移動してしまうことがなく、したがって首の部分の分割嚢８、８ａ、８ｂの高さが低くなってしまうことがなくなり、遠赤布１３…の首への密着状態を維持して、首の血行促進を維持できる。
【００５４】
（４）立体構造編物１６（第３充填材）
図７は上記立体構造編物１６（第３充填材）を示す。この実施形態では、上記本体１と外布５との間に板状の立体構造編物１６が挟まれている。この立体構造編物１６は、隙間Ｇが多いにも関わらず、圧力がかかっても、この隙間Ｇがあまり塞がれず撓まない構造となっている。
【００５５】
この立体構造編物１６は、上記ウレタン等より固く撓みにくく、ウレタン等より空隙率が高くて隙間Ｇが多く薄い。また、この立体構造編物１６は、表布２、裏布３、仕切布４及び消臭シート１２より固く撓みにくく、表布２、裏布３、仕切布４及び消臭シート１２より空隙率が高くて隙間Ｇが多く、表布２、裏布３、仕切布４及び消臭シート１２より厚い。
【００５６】
以上のように、立体構造編物１６は、上記表布２、裏布３、仕切布４及び消臭シート１２より固く撓みにくく、表布２、裏布３、仕切布４及び消臭シート１２より空隙率が高くて隙間Ｇが多いので、人体が当接して枕本体１が撓んで圧縮されても、立体構造編物１６の圧縮／撓みは枕体１より小さいので、枕本体１と当接している頭及び首との間に隙間Ｇが維持され、通気性及び放湿性が保たれ、消臭効果が向上する。
【００５７】
このような立体構造編物１６の構造は、特開２００７−２７０３９４号公報、特開２００５−１７９８０８号公報、特開２００４−１０７８００号公報に示される。これらの公報に記載されていることは、本願発明の詳細な説明にも記載されているものとする。
【００５８】
このような立体構造編物１６は、表裏二層の編地１７、１７と、この二層の編地１７、１７の間を連結するフィラメント１８…よりなっている。この表裏二層の編地１７、１７は、六角形の集合体のハニカム構造、三角形の集合体の構造、四角形の集合体の碁盤格子構造等に編まれる。
【００５９】
このフィラメント１８…は、上記表裏二層の編地１７、１７の間を連結荒れるように編まれる。このフィラメント１８…は、「Ｘ字状」「Ｖ字状」「逆Ｖ字状」「Ｍ字状」「Ｎ字状」「Ｗ字状」「Ｋ字状」「Ｙ字状」「Ａ字状」「逆Ａ字状」「□状」「□の中にＸのある状態」「Ｉ字状（多数平行フィラメント１８…）」などの構造をなし、圧力がかかっても表裏二層が接触しにくい構造となっている。
【００６０】
このような構造をなすフィラメント１８…は上記Ｘ字状などであっても、フィラメント１８…どうしは連結されず分離独立されているが、連結されていてもよい。図７の例では、フィラメント１８は、「Ｘ字状」の例が示されている。これにより、上述のように、立体構造編物１６は本体１より固く撓みにくくなり、人体が当接して本体１が撓んで圧縮されても、隙間Ｇが維持され、通気性及び放湿性が保たれ、褥瘡が防止される。
【００６１】
しかも、このフィラメント１８…同士の間隔／隙間Ｇは、フィラメント１８…自身の太さより数倍乃至十数倍、場合によって数倍乃至数十倍、さらに場合によって数倍乃至百数十倍ほどある。これにより、上述のように、立体構造編物１６は、本体１より空隙率が高くて隙間Ｇが多くなり、人体が当接して本体１が撓んで圧縮されても、隙間Ｇが維持され、通気性及び放湿性が保たれる。
【００６２】
このような立体構造編物１６は、裏布３の外側、表布２の内側または外側、仕切布４の表または裏、消臭シート１０の表または裏に積層されてもよい。これにより、通気性及び放湿性が向上する。また、表布２、裏布３、仕切布４、消臭シート１２、１０の一部または全部は省略されてもよい。これにより、これらの布等を節約できる。
【００６３】
この表布２、裏布３、仕切布４、消臭シート１２が省略された場合、立体構造編物１６は上述のように、空隙率が高くて隙間Ｇが多いので、投光性も非常に高く、筒粒状物２１…及び球粒状物２２…等に光触媒成分が塗布されていれば、この光触媒作用が向上する。
【００６４】
（５）内蔵される粒状物
図８は、上述の枕本体１内に収納／内蔵される筒粒状物２１…及び球粒状物２２…を示す。筒粒状物（ポリカットチューブ）２１…は、例えば、長さ４乃至１５ｍｍ、望ましくは６乃至１０ｍｍ、外直径３乃至１０ｍｍ、望ましくは４乃至５ｍｍ、厚さ０．０１乃至１ｍｍ、望ましくは０．０５乃至０．１ｍｍであり、材質はポリエチレン、ポリプロピレンなどの合成樹脂（プラスチック）などからなり、比較的硬いが可撓性を有しているものと、比較的軟らかく可撓性を有しているものとの両方又は片方からなっている。
【００６５】
上記球粒状物２２…は、例えば、外直径３乃至２０ｍｍ、望ましくは５乃至１０ｍｍ、厚さ０．０１乃至１ｍｍ、望ましくは０．０５乃至０．１ｍｍであり、材質はポリエチレン、ポリプロピレン、アクリルなどの合成樹脂（プラスチック）などからなり、比較的硬いが可撓性を有している。硬さは、上記筒粒状物２１…より硬くても軟らかくてもよい。
【００６６】
上記筒粒状物２１…は筒状であるため、挿通穴２５が形成され、さらに上記球粒状物２２…にも一対の挿通穴２６が形成されている。この球粒状物２２の挿通穴２６の大きさは、球粒状物２２の外直径の２０％乃至５０％であり、０．６乃至１０ｍｍ、望ましくは１乃至５ｍｍとなる。また、上記筒粒状物２１…の挿通穴２５の大きさは、２乃至９．９９ｍｍ、望ましくは３乃至４．９９ｍｍとなる。
【００６７】
球粒状物２２…の挿通穴２６…の大きさは、筒粒状物２１…の外直径／大きさ／太さより小さく、また球粒状物２２…の外直径／大きさは、筒粒状物２１…の挿通穴２５の大きさより大きく選択される。したがって、筒粒状物２１…が、球粒状物２２…の挿通穴２６内に入ってしまうことがないし、逆に球粒状物２２…が、筒粒状物２１…の挿通穴２５内に入ってしまうことがない。したがって、長く使用しても、また枕本体１を洗濯しても、粒状物２１、２２全体としての体積が減少してしまうことなく、長く快適に使用できる。
【００６８】
なお、上記表分離層５、裏分離層６、分割嚢８、端分割嚢８ａ、８ｂに収納される粒状物は、球粒状物２２…だけとしてもよい。その方が、粒状物同士が入り込んでしまうことがより無くなる。しかし、筒粒状物２１…は筒状であるため、通気性／放熱性／乾燥性に優れている。したがって、両者を混在させるのがよい。両者の混合割合は、重量比で１０％乃至９０％：９０％乃至１０％、望ましくは５０％：５０％である。
【００６９】
筒粒状物２１…または／及び球粒状物２２…の一部または全部には、形状記憶作用がある。これにより、枕本体１を使用して、頭の重みでこれらが変形しても、頭の重みから解放されれば、元の形に戻るし、後述する光触媒作用などの抗菌作用／防臭作用／分解作用、遠赤外線発生作用などの加温作用／血行促進作用が低下しない。さらには、同様の理由で、表布２、裏布３、仕切布４、消臭シート１２、立体構造編物１６についても、同様に形状記憶作用があってもよい。
【００７０】
筒粒状物２１…または／及び球粒状物２２…の一部または全部の表面には光触媒コーティングなどにより、光触媒作用などの抗菌作用／防臭作用／防虫作用／分解作用があってもよい。また、表布２、裏布３、仕切布４、消臭シート１２または／および立体構造編物１６の一部または全部には、遠赤外線発生作用などの加温作用／血行促進作用があってもよい。
【００７１】
これにより、頭／首に対して遠赤外線で加温作用／血行促進しつつも、光触媒作用でこれら加温作用／血行促進による発汗による汚れ／悪臭発生を防止できる。また、遠赤外線も光の一種であり、遠赤外線で光触媒作用をより発揮させることができる。さらに、筒粒状物２１…または／及び球粒状物２２…の一部または全部に、遠赤外線発生作用などの加温作用／血行促進作用があってもよい。
【００７２】
上記筒粒状物２１…及び球粒状物２２…には、場合によってアパタイト加工シリカゲルが混合される。これにより、上記乾燥作用をより向上させることができる。なお、図面では、表分離層５、裏分離層６、分割嚢８、端分割嚢８ａ、８ｂには、筒粒状物２１…及び球粒状物２２…のほかに隙間があるように見えるが、これは図面を見やすくするためであり、実際にはほぼ隙間無くこれらの粒状物２１…、２２…が充填される。
【００７３】
上記光触媒作用などのなどの抗菌作用／防臭作用／防虫作用／分解作用を発揮する素材としては、二酸化チタン、ＣｄＳ、ＣｄＳｅ、ＷＯ3 、Ｆｅ2Ｏ3 、ＳｒＴｉＯ3 、ＫＮｂＯ、シャインアップ（繊維、布、綿）、ディスメル（東洋紡績株式会社の商品）、エピコモド等が、遠赤外線発生作用などの加温作用／血行促進作用を発揮する素材としては、ゼオライト、羊毛ゼオライト、ヤンロン加工布／綿などが選択される。
【００７４】
（６）他の実施の形態
本発明は上記各実施例に限定されず、本発明の趣旨を逸脱しない範囲で種々変更可能である。例えば、表布２、裏布３、仕切布４、消臭シート１２は、通気性のよい布や、網状でもよい。これにより、枕本体１に載置される人間の頭からの熱を効率よく放熱できる。
【００７５】
裏側の端分割嚢１５ｂの幅／大きさは、頭の首に接する表側の端分割嚢８ａ、端分割嚢８ｂ、端分割嚢８ａの幅／大きさより大きくても小さくてもよい楽音、ほぼ同じ大きさが望ましい。この場合、裏側の端分割嚢１５ｂはさらに複数に分割されても良いし、表側の端分割嚢８ａ、端分割嚢８ｂ、端分割嚢８ａはさらに複数に分割されても良いし、一部または全部合体されてもよい。
【００７６】
また、仕切布４、場合によって表布２の内側、裏布３の内側は、金属繊維などの光の反射機能の高い布でもよい。これにより、筒粒状物２１…または球粒状物２２…に光触媒機能があるとき、光反射によってこの機能を向上させることができる。また遠赤外線を反射させて、遠赤外線による加温作用／血行促進作用を向上させることができる。
【００７７】
また、上記筒粒状物２１…は、筒状のほか、楕円球状または真円球状などでもよい。また、上記球粒状物２２…は、真円球状のほか、筒状または楕円球状などでもよい。挿通穴２５は、筒粒状物２１…の側面に複数形成されてもよいし、挿通穴２６は、球粒状物２２…の表面に多数形成されてもよいし、１つだけ形成されてもよい。筒粒状物２１…または球粒状物２２…の挿通穴２５または２６の一部または全部は省略されて無くてもよい。
【００７８】
上記筒粒状物２１…または球粒状物２２…には、さらに別の粒状物が付加混合されてもよい。この場合、この付加混合される別の粒状物は、通常は真円球状または楕円球状であり、大きさは球粒状物２２…より大きくてもよいし、小さくてもよい。しかし、筒粒状物２１…または球粒状物２２…が入り込まないような形状／大きさ、及び筒粒状物２１…または球粒状物２２…に入り込まないような形状／大きさに選択される。
【００７９】
上記枕本体１には、枕本体１の表側と裏側とが仕切布４または消臭シート１０で分離されない分離層５、６、１４の部分があってもよい。上記筒粒状物（第２充填材、第３充填材）２１、球粒状物（第２充填材、第３充填材）２２は、幾重にも折り返されたまたは積層された消臭シート（第１充填材、第２充填材）１２、１０、幾重にも折り返されたまたは積層された遠赤布（第１充填材）１３、幾重にも折り返されたまたは積層された立体構造編物（第３充填材）１６等に置き換えられてもよい。
【００８０】
上記表布２と裏布３と仕切布４と消臭シート１０との間には別の側面の布が縫合介在されても良いし、分割嚢８、端分割嚢８ａ、８ｂを形成する表縫合ライン７、端表縫合ライン７ａ、端縫合ライン群９、裏縫合ライン１９では、表布２と仕切布４、または裏縫合ライン１９消臭シート１０と裏布３とを縫合するのではなく、この表縫合ライン７、端表縫合ライン７ａ、端縫合ライン群９、裏縫合ライン１９に沿って、表布２と仕切布４との間に別の布が縫合介在されてもよい。
【００８１】
上記枕本体１、表布２、裏布３、仕切布４、立体構造編物１６、表分離層５、裏分離層６、分割嚢８、端分割嚢８ａ、８ｂ、分割嚢１５ａ、端分割嚢１５ｂはいずれも方形状であったが、六角形等の多角形、楕円・円形などの湾曲図形でもよく、それぞれの厚さ、幅、長さ、大きさは均一ではなく不均一でもよく、表分離層５、裏分離層６、分割嚢８、端分割嚢８ａ、８ｂは、一層だけでなく多層でもよい。
【００８２】
左右両端の端分割嚢８ａ、８ａ並びにその遠赤布１３…の表布２は、首の真後ろの端分割嚢８ｂ並びにその遠赤布１３…の表布２に比べて高さが低くなく、高くても良いし、同じ高さでもよい。これにより、首の後方左右両側と枕本体１／左右両端の端分割嚢８ａ、８ａとの隙間Ｇを大きくして、枕本体１の消臭を促進できる。
【００８３】
首の真後ろの端分割嚢８ｂの左右方向の長さは、首の後方左右両側の端分割嚢８ａ、８ａの左右方向の長さより長かったが、逆に短くてもよいし、同じ長さでもよい。枕本体１の大きさが十分に大きければ、これでも、枕本体１に対して頭部の設置位置が左右に多少ずれても、首の真後ろを端分割嚢８ｂに乗せることができて、上記遠赤外線効果を達成できる。
【００８４】
上記表布２、裏布３、仕切布４、表分離層５、裏分離層６、表縫合ライン７、端表縫合ライン７ａ、分割嚢８、端分割嚢８ａ、８ｂ、端縫合ライン群９、消臭シート１０、裏縫合ライン１１、消臭シート（第１充填材、第２充填材）１２、遠赤布（第１充填材）１３、中分離層１４、分割嚢１５ａ、端分割嚢１５ｂ、立体構造編物（第３充填材）１６、編地１７、フィラメント１８、裏縫合ライン１９、筒粒状物（第２充填材、第３充填材）２１、球粒状物（第２充填材、第３充填材）２２は、消臭効果のみで遠赤外線効果が無くてもよいし、逆に遠赤外線効果のみで消臭効果が無くてもよいし、消臭効果と遠赤外線効果の両方があってもよいし、両方とも無くてもよい。
【００８５】
上記枕本体１、表布２、裏布３、仕切布４、表分離層５、裏分離層６、表縫合ライン７、端表縫合ライン７ａ、分割嚢８、端分割嚢８ａ、８ｂ、端縫合ライン群９、消臭シート１０、裏縫合ライン１１、消臭シート（第１充填材、第２充填材）１２、遠赤布（第１充填材）１３、中分離層１４、分割嚢１５ａ、端分割嚢１５ｂ、立体構造編物（第３充填材）１６、編地１７、フィラメント１８、裏縫合ライン１９、筒粒状物（第２充填材、第３充填材）２１、球粒状物（第２充填材、第３充填材）２２、挿通穴２５、２６、隙間Ｇの一部または全体は省略されてもよいし、その数が増えても減ってもよいし、その形状は任意に変更可能であり、均等の他の物に置き換えられてもよいし、これらの２つまたは３つ以上が合体または一体化されて兼用されてもよいし、材質は硬質樹脂製のほか、軟質樹脂製、金属製、木製、紙製、ゴム製、表面に化粧紙が接着されたもの、竹製、樹脂製、ガラス製、綿製、布製、糸製、繊維製、ゴム製、紙製、セラミック製、カーボン製、硬質ウレタン製、これらの合成物製／混合物製／多層積層物製でもよい。
【００８６】
（７）他の発明の効果
［１］寝ている人間の頭が載置される枕において、  この枕の表側表面の表布と、この枕の裏側表面の裏布と、この枕の表側と裏側とが仕切布で分離された分離層と、  この表側の分離層の中を、さらに分割して形成され、  相互に遮蔽された複数の分割嚢であって、この分割嚢は上記人間の頭及び首に直接接するものであり、  この分割嚢は、上記人間の頭及び首に対して左右方向に延びるものであり、  この表側の分割嚢のうち上記頭の首に接する分割嚢に収納された第１充填材と、  この表側の分割嚢のうち上記頭に接し首に接しない複数の分割嚢に収納された第２充填材と、  上記裏側の分離層に収納された第３充填材とを備え、  上記第１充填材またはその表布は遠赤外線を発して上記首の血行を促進し、  上記第２充填材またはその表布は、消臭機能を有し、遠赤外線を発せず、  上記第３充填材またはその裏布は、消臭機能を有し、遠赤外線を発しないことを特徴とする枕。
【００８７】
［２］上記分離層のうち、上記表布及び裏布に接していない、内部の分離層には何も充填されず空洞となっていて、表布及び裏布に接している両分離層が離間可能なっていることを特徴とする請求項１記載の枕。これにより、表布及び裏布に接している両分離層を離間させて、空気を流入流出させて、消臭をはかることができるし、洗濯時に洗浄水／線状液体を流入流出させて、洗浄を促進し消臭機能の回復をはかることができる。
【００８８】
［３］上記裏側の分離層の中を、さらに分割して相互に遮蔽された複数の分割嚢が形成され、この分割嚢のうち、上記頭の首に接する表側の分割嚢の下にある裏側の分割嚢は、当該表側の分割嚢とほぼ同じ大きさであることを特徴とする請求項２記載の枕。これにより、首の下の裏側の分割嚢内の上記第３充填材が他へ移動してしまうことがなく、したがって首の部分の分割嚢の高さが低くなってしまうことがなくなり、第１充填材の首への密着状態を維持して、首の血行促進を維持できる。
【００８９】
［４］上記複数の分割嚢及び表布の境界と上記頭及び首との間には隙間が形成され、これにより、頭または首の消臭より、枕の方がより消臭され、  上記枕が裏返して使用され、この裏返された上記裏側の分離層及び裏布と上記頭または首との間には隙間が形成されず頭または首に密着し、これにより、枕の消臭より、頭または首の方がより消臭されることを特徴とする請求項３記載の枕。これにより、枕の表で主に枕自身の消臭が行われ、裏返して枕の裏で主に頭または首の消臭が行われ、枕の表と裏とで消臭機能を切り換えることができる。
【００９０】
［５］上記第２充填材または第３充填材は内部に隙間を有して、通気性を有し、これにより消臭機能が向上されることを特徴とする請求項４記載の枕。これにより、枕の通気性を高めることによっても、消臭効果を相乗的に高めることができる。
【００９１】
［６］上記第１充填材またはその表布は、遠赤外線を発するほか、消臭機能を有することを特徴とする請求項５記載の枕。これにより、血行促進によって出てくる汗の消臭を実現できる。
【００９２】
［７］首に接する分割嚢は、首の真後ろ部分と、首の左右両側部分とに分けられ、首の真後ろ部分の第１充填材またはその表布は、遠赤外線を発し、消臭機能は無く、  首の左右両側部分の第１充填材またはその表布は、遠赤外線を発するほか、消臭機能も有することを特徴とする請求項６記載の枕。これにより、首の真後ろの血管やリンパ管の流れを良くすることができて、遠赤外線効果を高めることができるし、首の後方左右の発汗に対して消臭することができる。
【００９３】
［８］首の真後ろ部分の第１充填材またはその表布の高さは、首の左右両側部分の第１充填材またはその表布の高さより低いことを特徴とする請求項７記載の枕。これにより、首の左右両側から真後ろ後方まで包み込むことができ、首の周囲に対する遠赤外線効果を高めることができる。
【００９４】
［９］首の真後ろ部分の分割嚢の左右の長さは、首の左右両側部分の分割嚢の左右の長さより、長いことを特徴とする請求項８記載の枕。これにより、枕本体に対して頭部の設置位置が左右に多少ずれても、首の真後ろ部分の分割嚢に乗せることができて、首の真後ろ部分に対する遠赤外線効果を達成できる。
【００９５】
［１０］首の真後ろ部分の分割嚢と、首の左右両側部分の分割嚢との境界は、複数の縫合ラインが形成されていることを特徴とする請求項９記載の枕。これにより、首と枕本体との間の通気性を高め、枕本体の消臭効果を高めることができる。
【産業上の利用可能性】
【００９６】
人間の首から頭にかけて枕を部分的に分けて、血行促進と消臭とで分け、両者の機能を矛盾しないように発揮させる。首全体を血行促進、首の後両側を消臭する。枕の表向きで枕の消臭、裏向きで頭首を消臭する。枕本体１は表分離層５、裏分離層６、中分離層１４、分割嚢８、端分割嚢８ａ、８ｂ、８ａ、分割嚢１５ａ、端分割嚢１５ｂに分離分割され、首の周囲に沿った端分割嚢８ａ、８ｂ、８ａ内には、遠赤布１３（第１充填材）が充填されて首に遠赤外線が発せられる。
【００９７】
さらに左右両側の端分割嚢８ａ、８ａ内の遠赤布１３（第１充填材）は消臭シート１２（第１充填材、第２充填材）で包まれて消臭効果も発揮され、他の表分離層５、裏分離層６、分割嚢８内には、筒粒状物２１…及び球粒状物２２…が内蔵され、表分離層５、裏分離層６、分割嚢８は消臭効果のある表布２及び裏布３で包まれて頭部に対して消臭効果を発揮する。
【図面の簡単な説明】
【００９８】
【図１】枕本体１の表面を示す。
【図２】枕本体１の裏面を示す。
【図３】枕本体１の断面を示す。
【図４】枕本体１の裏布３側を上にして裏返して人間の頭部及び首を乗せた状態を示す。
【図５】枕本体１の表布２側を上にして表向きにして人間の頭部及び首を乗せた状態を示す。
【図６】枕本体１の表布２側を上にして表向きにして人間の頭部及び首を乗せた状態における首付近の断面を示す。
【図７】上記立体構造編物１６（第３充填材）を示す。
【図８】枕本体１内に収納／内蔵される筒粒状物２１…及び球粒状物２２…を示す。
【符号の説明】
【００９９】
１…枕本体、２…表布、
３…裏布、４…仕切布、
５…表分離層、６…裏分離層、
７…表縫合ライン、７ａ…端表縫合ライン、
８…分割嚢、８ａ、８ｂ…端分割嚢、
９…端縫合ライン群、１０…消臭シート、
１１…裏縫合ライン、１４…中分離層、
１２…消臭シート（第１充填材、第２充填材）、
１３…遠赤布（第１充填材）、
１５ａ…分割嚢、１５ｂ…端分割嚢、
１６…立体構造編物（第３充填材）、
１７…編地、１８…フィラメント、
１９…裏縫合ライン、
２１…筒粒状物（第２充填材、第３充填材）、
２２…球粒状物（第２充填材、第３充填材）、
２５、２６…挿通穴、Ｇ…隙間。
【図１】
0005366267.tif 000002
【図２】
0005366267.tif 000003
【図３】
0005366267.tif 000004
【図４】
0005366267.tif 000005
【図５】
0005366267.tif 000006
【図６】
0005366267.tif 000007
【図７】
0005366267.tif 000008
【図８】
0005366267.tif 000009